(57)【要約】【課題】ネットワークへの無線デバイスの再接続を容易にするための装置および関連方法を提供すること。【解決手段】無線デバイス（１２）のための装置（３４）であって、この装置（３４）は、パブリックランドモバイルネットワーク（ＰＬＭＮ）（１６）またはＷＬＡＮ（１４）の無線通信接続性の損失後の、無線デバイス（１２）の再接続を容易にし、この装置（３４）は、無線デバイス（１２）の最新のＰＬＭＮ（１６）およびＷＬＡＮ（１４）の接続のアイデンティティの識別（８４、８８）を格納するように構成されたバッファ（４２）と、ＰＬＭＮ（１６）またはＷＬＡＮ（１４）の無線通信接続性の損失に応答して、バッファ（４２）にアクセスするように構成されたアクセス器（５４）と、を特徴とする。【選択図】図１
2008259214.tif 000002
【特許請求の範囲】
【請求項１】
無線デバイス（１２）のための装置（３４）であって、該装置（３４）は、パブリックランドモバイルネットワーク（ＰＬＭＮ）（１６）またはＷＬＡＮ（１４）の無線通信接続性の損失後の、該無線デバイス（１２）の再接続を容易にし、該装置（３４）は、
該無線デバイス（１２）の最新のＰＬＭＮ（１６）およびＷＬＡＮ（１４）の接続のアイデンティティの識別（８４、８８）を格納するように構成されたバッファ（４２）と、
該ＰＬＭＮ（１６）またはＷＬＡＮ（１４）の無線通信接続性の損失に応答して、該バッファ（４２）にアクセスすることにより、該バッファ（４２）に格納された該識別（８４、８８）の値を抽出するように構成されたアクセス器（５４）であって、該値は、該ＰＬＭＮ（１６）およびＷＬＡＮ（１４）の通信接続性への該無線デバイス（１２）の再接続を試みるために使用される、アクセス器（５４）と
を特徴とする、装置（３４）。
【請求項２】
前記無線デバイス（１２）は、Ｉ−ＷＬＡＮ（Ｉｎｔｅｒｗｏｒｋｉｎｇ  Ｗｉｒｅｌｅｓｓ  Ｌｏｃａｌ  Ａｒｅａ  Ｎｅｔｅｏｒｋ）デバイス（１２）を含んでおり、前記バッファ（４２）に格納された前記最新のＰＬＭＮ（１６）およびＷＬＡＮ（１４）の接続の前記アイデンティティは、ＳＳＩＤ（Ｓｅｒｖｉｃｅ  Ｓｅｔ  Ｉｄｅｎｔｉｆｉｅｒ）値（８４）を含んでいる、請求項１に記載の装置（３４）。
【請求項３】
アクセス器（５４）は、前記ＳＳＩＤ値（８４）にアクセスするように構成されており、該ＳＳＩＤ値（８４）は、前記ＰＬＭＮ（１６）およびＷＬＡＮ（１４）の通信接続性への前記無線デバイス（１２）の再接続を試みるために使用される、請求項２に記載の装置（３４）。
【請求項４】
前記バッファ（４２）に格納された前記最新のＰＬＭＮ（１６）およびＷＬＡＮ（１４）の接続の前記アイデンティティは、前記ＳＳＩＤ値（８４）に関連付けられた、ＰＬＭＮ（Ｐｕｂｌｉｃ  Ｌａｎｄ  Ｍｏｂｉｌｅ  Ｎｅｔｗｏｒｋ）値（８８）をさらに含んでいる、請求項２に記載の装置（３４）。
【請求項５】
前記アクセス器（５４）は、前記ＰＬＭＮ値（８８）にアクセスするように構成されており、該ＰＬＭＮ値（８８）は、前記ＰＬＭＮ（１６）およびＷＬＡＮ（１４）の通信接続性への前記無線デバイス（１２）の再接続を試みるために使用される、請求項４に記載の装置（３４）。
【請求項６】
前記バッファ（４２）は、アクセス接続性機構（９８）のアイデンティティを格納するようにさらに構成されている、請求項１に記載の装置（３４）。
【請求項７】
前記バッファ（４２）にそのアイデンティティが格納されている、前記アクセス接続性機構は、直接ＩＰ、インターネットプロトコル、アドレスのアイデンティティを含んでいる、請求項６に記載の装置（３４）。
【請求項８】
接続性損失決定器（４７）をさらに含み、該接続性損失決定器（４７）は、前記ＰＬＭＮ（１６）およびＷＬＡＮ（１４）の通信接続性の前記無線デバイス（１２）の接続の損失の発生を決定するように構成されており、前記アクセス器（５４）による前記バッファ（４２）のアクセスは、該接続性損失決定器（４７）によって行われた決定に応答して行われる、請求項１に記載の装置（３４）。
【請求項９】
前記ＰＬＭＮ（１６）およびＷＬＡＮ（１４）の通信接続性は、ＳＳＩＤ接続性およびＰＬＭＮ接続性のうちの少なくとも１つを含んでおり、前記接続性損失決定器（４７）は、該ＳＳＩＤ接続性および該ＰＬＭＮ接続性のうちのいずれかの損失を決定するようにさらに構成されている、請求項８に記載の装置（３４）。
【請求項１０】
通信接続性決定器（４７）をさらに含んでおり、該通信接続性決定器（４７）は、前記無線デバイス（１２）の前記ＰＬＭＮ（１６）およびＷＬＡＮ（１４）の通信接続性の存在を決定するように構成されており、前記バッファ（４２）に格納された前記識別は、該通信接続性決定器（４７）によって行われた決定に応答して格納される、請求項１に記載の装置（３４）。
【請求項１１】
前記ＰＬＭＮ（１６）およびＷＬＡＮ（１４）の通信接続性は、ＳＳＩＤ接続性およびＰＬＭＮ接続性のうちの少なくとも１つを含んでおり、前記通信接続性決定器（４７）は、該ＳＳＩＤ接続性および該ＰＬＭＮ接続性のうちの少なくとも１つを決定するようにさらに構成されている、請求項１０に記載の装置（３４）。
【請求項１２】
前記バッファ（４２）は、前記無線デバイス（１２）に取り外し可能なように接続可能な取り外し可能メモリ要素を含んでいる、請求項１に記載の装置（３４）。
【請求項１３】
前記バッファ（４２）は、前記無線デバイス（１２）の永続メモリ要素を含んでいる、請求項１に記載の装置（３４）。
【請求項１４】
ＰＬＭＮ（１６）またはＷＬＡＮ（１４）のいずれかの通信接続性の損失後の、無線デバイス（１２）の該ＰＬＭＮ（１６）およびＷＬＡＮ（１４）の通信接続性の再接続を容易にするための方法（１７３）であって、該方法は、
該無線デバイス（１２）の最新のＰＬＭＮ（１６）およびＷＬＡＮ（１４）の接続のアイデンティティの識別（８４、８８）を格納するステップ（１８０）と、
該識別（８４、８８）の値を抽出するために、該ＰＬＭＮ（１６）およびＷＬＡＮ（１４）の接続の損失に応答して、該格納するステップ（１８０）の動作の間に格納された該識別（８４、８８）にアクセスするステップ（１８４）と、
該アクセスするステップ（１８４）の動作の間にアクセスされた該識別（８４、８８）の該値を使用して、該ＰＬＭＮ（１６）およびＷＬＡＮ（１４）の通信接続性への該無線デバイス（１２）の再接続を試みるステップ（１８６）と
を特徴とする、方法。
【請求項１５】
前記格納するステップ（１８０）の動作は、取り外し可能メモリ要素に前記識別（８４、８８）を格納することを含んでおり、該取り外し可能メモリ要素は、前記無線デバイス（１２）に取り外し可能なように接続可能である、請求項１４に記載の方法。
【請求項１６】
前記格納するステップ（１８０）の動作は、前記無線デバイス（１２）の永続メモリ要素に前記識別（８４、８８）を格納することを含んでいる、請求項１４に記載の方法。
【請求項１７】
前記再接続を試みるステップ（１８６）の動作は、ＳＳＩＤ（Ｓｅｒｖｉｃｅ  Ｓｅｔ  Ｉｄｅｎｔｉｆｉｅｒ）エンティティ（８４）との通信接続性への再接続を試みることを含んでいる、請求項１４に記載の方法。
【請求項１８】
前記再接続を試みるステップ（１８６）の動作は、ＰＬＭＮ（Ｐｕｂｌｉｃ  Ｌａｎｄ  Ｍｏｂｉｌｅ  Ｎｅｔｗｏｒｋ）（１６）との通信接続性への再接続を試みることを含んでいる、請求項１４に記載の方法。
【請求項１９】
前記再接続を試みるステップの動作は、直接ＩＰ（Ｉｎｔｅｒｎｅｔ  Ｐｒｏｔｏｃｏｌ）接続を形成することを試みることを含んでいる、請求項１４に記載の方法。
【発明の詳細な説明】
【技術分野】
【０００１】
本発明は、概して、例えばＩ−ＷＬＡＮ（Ｉｎｔｅｒｗｏｒｋｉｎｇ  Ｗｉｒｅｌｅｓｓ  Ｌｏｃａｌ  Ａｒｅａ  Ｎｅｔｗｏｒｋ）システムのような無線通信システムにおける無線デバイスの通信接続性に関する。より具体的には、本発明は、接続性の損失後の、無線通信システムのネットワークパートへの無線デバイスの再接続を容易にするための装置および関連方法に関する。
【０００２】
無線デバイスと通信するネットワークパートを識別するネットワーク情報を格納するための、バッファが提供される。通信接続性の損失が発生すると、このバッファがアクセスされ、無線デバイスが、ネットワーク（バッファにおいてそのアイデンティティがバッファリングされている）との再接続を試みる。
【背景技術】
【０００３】
（発明の背景）
通信技術における進展は、多くの様々なタイプの無線通信システムの開発および配備を可能にした。無線通信システムは、通常、多くのもの（通信サービスを実現するためにそれを介して通信される）によって使用される。
【０００４】
セル通信システムは、通信技術の進展によって利用可能になった無線通信システムの例であり、その使用は普及している。セル通信システムはまた、パブリックランドモバイルネットワーク（ＰＬＭＮ；Ｐｕｂｌｉｃ  Ｌａｎｄ  Ｍｏｂｉｌｅ  Ｎｅｔｗｏｒｋ）とも称され得、典型的には標準設定団体によって公布される動作仕様の動作パラメータに準拠している。後に続く世代の動作仕様およびセル通信システムが公布および開発されており、各世代は、追加的なサービス能力を提供している。
【０００５】
無線ローカルエリアネットワーク（ＷＬＡＮ；Ｗｉｒｅｌｅｓｓ  Ｌｏｃａｌ  Ａｒｅａ  Ｎｅｔｗｏｒｋ）もまた、通信技術の進展の結果として利用可能になった無線通信システムの例であり、その使用は普及している。典型的に、セルシステムにおけるものとは異なる通信プロトコルおよび標準を使用することにより、ＷＬＡＮは、少なくとも様々な局面で、セル通信システムの動作に類似した方法で動作可能である。無線ローカルエリアネットワークは、小さなエリアのシステムとして、より一般的に使用されており、概してセル通信システムによって包囲されるカバーエリアよりも小さいエリア上で動作されている。様々な追加的な局面において、無線ローカルエリアネットワークは、従来のローカルエリアネットワークの無線拡張である。無線ローカルエリアネットワークは、それらの有線の対応物に類似しており、一般的に、データ集約型のパケット通信サービスの実施にしたがう、パケットフォーマットされたデータの通信を提供する。ＷＬＡＮは、ＳＳＩＤ（Ｓｅｒｖｉｃｅ  Ｓｅｔ  Ｉｄｅｎｔｉｆｉｅｒ）によって識別され、ＷＬＡＮは、本明細書中では、ＳＳＩＤとして言及されることがあり得る。
【０００６】
無線デバイスはまた、モバイル局およびユーザ機器（ＵＥ；Ｕｓｅｒ  Ｅｑｕｉｐｍｅｎｔ）とも称され得、場合によっては、ＷＬＡＮ経由およびセル通信システム経由の両方で通信可能なように構成されることがある。ＷＬＡＮとＰＬＭＮとの間の相互作用を提供するネットワークエンティティおよびデバイスもまた、利用可能である。そのような相互作用を介することにより、無線デバイスは、無線ローカルエリアネットワーク経由でＰＬＭＮと通信することが可能である。既存のＩ−ＷＬＡＮの仕様は、Ｉ−ＷＬＡＮの動作に関連する様々な手順（例えば、ネットワーク選択手順を含む）を述べている。Ｉ−ＷＬＡＮ経由でデバイスが通信し得るパブリックランドモバイルネットワークの選択を行うために、選択手順がフォローされている。選択手順にしたがって、無線デバイスは、利用可能なＩ−ＷＬＡＮおよび関連付けられたＰＬＭＮ（それぞれのＩ−ＷＬＡＮに関連付けられている）を識別する。Ｉ−ＷＬＡＮはまた、ＳＳＩＤ（Ｓｅｒｖｉｃｅ  Ｓｅｔ  Ｉｄｅｎｔｉｆｉｅｒ）によって識別され、Ｉ−ＷＬＡＮはまた、本明細書中では、ＳＳＩＤとして言及されることがあり得る。
【０００７】
一旦選択が行われると、通信接続が形成され、選択されたＳＳＩＤおよびＰＬＭＮを介する通信接続を経由して、データが通信される。通信接続性の損失または遮断が発生した場合、無線デバイスは、通信サービスにしたがってデータ通信を継続するために、通信接続性を再確立しなければならない。ＧＳＭ（Ｇｌｏｂａｌ  Ｓｙｓｔｅｍ  ｆｏｒ  Ｍｏｂｉｌｅ  Ｃｏｍｍｕｎｉｃａｔｉｏｎ）およびＵＭＴＳ（Ｕｎｉｖｅｒｓａｌ  Ｍｏｂｉｌｅ  Ｔｅｌｅｐｈｏｎｅ  Ｓｅｒｖｉｃｅ）の仕様は、再接続を容易にするために最後に登録されたＰＬＭＮのコンセプトを提供するが、Ｉ−ＷＬＡＮ動作に対して利用可能な類似した機構または手順は一切存在しない。Ｉ−ＷＬＡＮシステムにおける接続性の問題は、複雑である。なぜならば、接続性は、無線デバイスと選択されたＰＬＭＮとの間にだけではなく、無線デバイスとＳＳＩＤとの間に提供されなければならないからである。
【発明の開示】
【発明が解決しようとする課題】
【０００８】
したがって、通信接続性の損失後の、Ｉ−ＷＬＡＮ無線デバイスの再接続を容易にするための方法を提供することの必要性が残されている。
【課題を解決するための手段】
【０００９】
Ｉ−ＷＬＡＮの通信に関連する背景情報を踏まえることにより、無線デバイスに関する本発明の顕著な改良が引き出される。
【００１０】
したがって、本発明は有利にも、無線通信システム（例えば、Ｉ−ＷＬＡＮシステム）において動作可能な無線デバイスの通信接続性を容易にするための装置および関連方法を提供する。
【００１１】
本発明の実施形態の動作を介することにより、接続性の損失後の、無線通信システムのネットワークパートへの無線デバイスの再接続を容易にするための方法が提供される。
【００１２】
本発明の一局面において、バッファが提供され、このバッファにおいて、無線デバイスと通信しているネットワーク部分を識別するネットワーク情報、または無線デバイスが最後に通信したネットワーク部分を識別するネットワークワーク情報が、格納される。接続性の遮断（すなわち、通信接続性の損失）が発生すると、バッファがアクセスされ、格納された内容が抽出され、抽出された内容は、抽出された内容において識別されたエンティティに、無線デバイスを再接続するために使用される。このようにして、無線デバイスは、利用可能なＳＳＩＤに関連付けられているＰＬＭＮはどれであるかを決定するために、利用可能なＳＳＩＤをスキャンし、そしてそれらから選択を行うことなしに、再接続の試みを行う。通信接続性の損失前に、最後に接続が成功したネットワークエンティティとの再接続を試みることによって、全体のサーチに関連する時間遅延、処理要求、および電力消費を伴うことなく、全体のサーチの実行を介して選択された可能性が最も高いＳＳＩＤ／ＰＬＭＮが選択される。
【００１３】
本発明の別の局面において、無線デバイスに対して、バッファまたはメモリ格納が提供され、このバッファまたはメモリ格納において、無線デバイスの最新の接続が格納される。このバッファは、無線デバイスの永続メモリとして、定義または提供される。あるいはこのバッファは、取り外し可能メモリデバイス、例えば、ＳＩＭ、（Ｕ）ＳＩＭ、ＩＳＩＭ、Ｒ−ＵＩＭ、コンパクトフラッシュ（登録商標）メモリ、マイクロＳＤ、メモリスティック、または無線デバイスに取り外し可能なように接続可能なその他のメモリ要素において、提供または定義される。バッファに格納された情報は、このバッファへと交互に読み書きされ、無線デバイスにおいて画像化される。
【００１４】
本発明の別の局面において、無線デバイスは、利用可能なＳＳＩＤを識別するためのスキャニング動作を実行する。また、利用可能なＳＳＩＤに関連付けられたＰＬＭＮの決定が行われる。関連付けは、例えば、ネットワークによってブロードキャストされた情報に応答して、または無線デバイスに格納された情報によってブロードキャストされた情報に応答して、決定される。収集または決定された情報から、通信に用いるＳＳＩＤおよび関連付けられたＰＬＭＮの選択が行われる。この選択は、選択の直後に、または選択されたエンティティとの通信接続の形成後に、バッファにおいてバッファリングされる。例えば無線デバイスの再配置、または第１の選択との通信接続性リンクの形成の失敗によって、選択が変化する場合、格納された情報は、更新情報によって更新される。
【００１５】
本発明の別の局面において、通信接続性の損失が発生すると、バッファがアクセスされ、アクセスされた情報は、通信接続性に再接続することを試みるために使用される。バッファに格納されたＳＳＩＤは、ＳＳＩＤとの通信接続性が損失した場合に、このＳＳＩＤとの再接続を再び試みるために使用される。ＳＳＩＤとの接続性が維持されているが、関連付けられたＰＬＭＮとの接続性が損失した場合、このＰＬＭＮとの再接続を試みるために、ＰＬＭＮ情報が使用される。再接続の試みが成功した場合、ＳＳＩＤおよびそれらに関連付けられたＰＬＭＮのサーチは、回避される。また、再接続の試みが成功しなかった場合、または所定の回数の連続的な試みが成功しなかった場合、無線デバイスは、利用可能なＳＳＩＤをスキャンする。また、アクセスされた情報を使用して再接続する前に、別のＳＳＩＤまたは関連付けられたＰＬＭＮとの接続の試みを行う決定がなされた場合、無線デバイスは、必要に応じて、代替的なＳＳＩＤまたはＰＬＭＮとの接続を試みる。
【００１６】
したがって、これらの局面およびその他の局面において、無線デバイスの通信接続性の接続の損失後の、無線デバイスの再接続を容易にするための装置および関連方法が、無線デバイスに対して提供される。バッファは、無線デバイスの最新の接続のアイデンティティの識別の構成を格納するように構成されている。アクセス格納は、接続の損失に応答してバッファにアクセスし、そこに格納されている情報の値を抽出するように構成されている。この値は、通信接続性への無線デバイスの再接続を試みるために使用される。
【００１７】
本発明は、さらに以下の手段を提供する。
【００１８】
（項目１）  
無線デバイス（１２）のための装置（３４）であって、該装置（３４）は、パブリックランドモバイルネットワーク（ＰＬＭＮ）（１６）またはＷＬＡＮ（１４）の無線通信接続性の損失後の、該無線デバイス（１２）の再接続を容易にし、該装置（３４）は、
該無線デバイス（１２）の最新のＰＬＭＮ（１６）およびＷＬＡＮ（１４）の接続のアイデンティティの識別（８４、８８）を格納するように構成されたバッファ（４２）と、
該ＰＬＭＮ（１６）またはＷＬＡＮ（１４）の無線通信接続性の損失に応答して、該バッファ（４２）にアクセスすることにより、該バッファ（４２）に格納された該識別（８４、８８）の値を抽出するように構成されたアクセス器（５４）であって、該値は、該ＰＬＭＮ（１６）およびＷＬＡＮ（１４）の通信接続性への該無線デバイス（１２）の再接続を試みるために使用される、アクセス器（５４）と
を特徴とする、装置（３４）。
【００１９】
（項目２）  
上記無線デバイス（１２）は、Ｉ−ＷＬＡＮ（Ｉｎｔｅｒｗｏｒｋｉｎｇ  Ｗｉｒｅｌｅｓｓ  Ｌｏｃａｌ  Ａｒｅａ  Ｎｅｔｅｏｒｋ）デバイス（１２）を含んでおり、上記バッファ（４２）に格納された上記最新のＰＬＭＮ（１６）およびＷＬＡＮ（１４）の接続の上記アイデンティティは、ＳＳＩＤ（Ｓｅｒｖｉｃｅ  Ｓｅｔ  Ｉｄｅｎｔｉｆｉｅｒ）値（８４）を含んでいる、項目１に記載の装置（３４）。
【００２０】
（項目３）  
アクセス器（５４）は、上記ＳＳＩＤ値（８４）にアクセスするように構成されており、該ＳＳＩＤ値（８４）は、上記ＰＬＭＮ（１６）およびＷＬＡＮ（１４）の通信接続性への上記無線デバイス（１２）の再接続を試みるために使用される、項目２に記載の装置（３４）。
【００２１】
（項目４）  
上記バッファ（４２）に格納された上記最新のＰＬＭＮ（１６）およびＷＬＡＮ（１４）の接続の上記アイデンティティは、上記ＳＳＩＤ値（８４）に関連付けられた、ＰＬＭＮ（Ｐｕｂｌｉｃ  Ｌａｎｄ  Ｍｏｂｉｌｅ  Ｎｅｔｗｏｒｋ）値（８８）をさらに含んでいる、項目２に記載の装置（３４）。
【００２２】
（項目５）  
上記アクセス器（５４）は、上記ＰＬＭＮ値（８８）にアクセスするように構成されており、該ＰＬＭＮ値（８８）は、上記ＰＬＭＮ（１６）およびＷＬＡＮ（１４）の通信接続性への上記無線デバイス（１２）の再接続を試みるために使用される、項目４に記載の装置（３４）。
【００２３】
（項目６）  
上記バッファ（４２）は、アクセス接続性機構（９８）のアイデンティティを格納するようにさらに構成されている、項目１に記載の装置（３４）。
【００２４】
（項目７）  
上記バッファ（４２）にそのアイデンティティが格納されている、上記アクセス接続性機構は、直接ＩＰ、インターネットプロトコル、アドレスのアイデンティティを含んでいる、項目６に記載の装置（３４）。
【００２５】
（項目８）  
接続性損失決定器（４７）をさらに含み、該接続性損失決定器（４７）は、上記ＰＬＭＮ（１６）およびＷＬＡＮ（１４）の通信接続性の上記無線デバイス（１２）の接続の損失の発生を決定するように構成されており、上記アクセス器（５４）による上記バッファ（４２）のアクセスは、該接続性損失決定器（４７）によって行われた決定に応答して行われる、項目１に記載の装置（３４）。
【００２６】
（項目９）  
上記ＰＬＭＮ（１６）およびＷＬＡＮ（１４）の通信接続性は、ＳＳＩＤ接続性およびＰＬＭＮ接続性のうちの少なくとも１つを含んでおり、上記接続性損失決定器（４７）は、該ＳＳＩＤ接続性および該ＰＬＭＮ接続性のうちのいずれかの損失を決定するようにさらに構成されている、項目８に記載の装置（３４）。
【００２７】
（項目１０）  
通信接続性決定器（４７）をさらに含んでおり、該通信接続性決定器（４７）は、上記無線デバイス（１２）の上記ＰＬＭＮ（１６）およびＷＬＡＮ（１４）の通信接続性の存在を決定するように構成されており、上記バッファ（４２）に格納された上記識別は、該通信接続性決定器（４７）によって行われた決定に応答して格納される、項目１に記載の装置（３４）。
【００２８】
（項目１１）  
上記ＰＬＭＮ（１６）およびＷＬＡＮ（１４）の通信接続性は、ＳＳＩＤ接続性およびＰＬＭＮ接続性のうちの少なくとも１つを含んでおり、上記通信接続性決定器（４７）は、該ＳＳＩＤ接続性および該ＰＬＭＮ接続性のうちの少なくとも１つを決定するようにさらに構成されている、項目１０に記載の装置（３４）。
【００２９】
（項目１２）  
上記バッファ（４２）は、上記無線デバイス（１２）に取り外し可能なように接続可能な取り外し可能メモリ要素を含んでいる、項目１に記載の装置（３４）。
【００３０】
（項目１３）  
上記バッファ（４２）は、上記無線デバイス（１２）の永続メモリ要素を含んでいる、項目１に記載の装置（３４）。
【００３１】
（項目１４）  
ＰＬＭＮ（１６）またはＷＬＡＮ（１４）のいずれかの通信接続性の損失後の、無線デバイス（１２）の該ＰＬＭＮ（１６）およびＷＬＡＮ（１４）の通信接続性の再接続を容易にするための方法（１７３）であって、該方法は、
該無線デバイス（１２）の最新のＰＬＭＮ（１６）およびＷＬＡＮ（１４）の接続のアイデンティティの識別（８４、８８）を格納するステップ（１８０）と、
該識別（８４、８８）の値を抽出するために、該ＰＬＭＮ（１６）およびＷＬＡＮ（１４）の接続の損失に応答して、該格納するステップ（１８０）の動作の間に格納された該識別（８４、８８）にアクセスするステップ（１８４）と、
該アクセスするステップ（１８４）の動作の間にアクセスされた該識別（８４、８８）の該値を使用して、該ＰＬＭＮ（１６）およびＷＬＡＮ（１４）の通信接続性への該無線デバイス（１２）の再接続を試みるステップ（１８６）と
を特徴とする、方法。
【００３２】
（項目１５）  
上記格納するステップ（１８０）の動作は、取り外し可能メモリ要素に上記識別（８４、８８）を格納することを含んでおり、該取り外し可能メモリ要素は、上記無線デバイス（１２）に取り外し可能なように接続可能である、項目１４に記載の方法。
【００３３】
（項目１６）  
上記格納するステップ（１８０）の動作は、上記無線デバイス（１２）の永続メモリ要素に上記識別（８４、８８）を格納することを含んでいる、項目１４に記載の方法。
【００３４】
（項目１７）  
上記再接続を試みるステップ（１８６）の動作は、ＳＳＩＤ（Ｓｅｒｖｉｃｅ  Ｓｅｔ  Ｉｄｅｎｔｉｆｉｅｒ）エンティティ（８４）との通信接続性への再接続を試みることを含んでいる、項目１４に記載の方法。
【００３５】
（項目１８）  
上記再接続を試みるステップ（１８６）の動作は、ＰＬＭＮ（Ｐｕｂｌｉｃ  Ｌａｎｄ  Ｍｏｂｉｌｅ  Ｎｅｔｗｏｒｋ）（１６）との通信接続性への再接続を試みることを含んでいる、項目１４に記載の方法。
【００３６】
（項目１９）  
上記再接続を試みるステップの動作は、直接ＩＰ（Ｉｎｔｅｒｎｅｔ  Ｐｒｏｔｏｃｏｌ）接続を形成することを試みることを含んでいる、項目１４に記載の方法。
【００３７】
（摘要）
Ｉ−ＷＬＡＮまたはその他の無線デバイスに対する装置および関連方法。無線デバイスが通信に用いるネットワークエンティティ（例えば、ＳＳＩＤまたは関連のあるＰＬＭＮ）に関連付けられた情報が、バッファリングされる。その後、通信接続性の損失が発生した場合、バッファリングされた情報が抽出され、再接続の試みにしたがって使用される。
【発明を実施するための最良の形態】
【００３８】
そこで、最初に図１を参照すると、無線通信システム（一般的に１０で示されている）は、無線デバイス（本明細書中では、無線デバイス１２によって表現されている）に無線通信を提供している。無線デバイスは、任意の様々な無線送受信器、例えば、ＵＴＲＡＮ、ＣＤＭＡ２０００、ＥＶＤＯ、ＷＩ−ＭＡＸシステム等において動作可能な無線送受信器の代表例である。図１において、無線デバイスは、複数の無線ローカルエリアネットワーク（ＷＬＡＮ）１４のカバー範囲内の位置に配置されている。また、より具体的には、無線デバイスは、ＷＬＡＮ−１  １４−１、ＷＬＡＮ−２  １４−２、ＷＬＡＮ−３  １４−３、およびＷＬＡＮ−Ｎ  １４−Ｎのカバー範囲内に配置されたものとして示されている。
【００３９】
ＷＬＡＮの各々は、相互作用ＷＬＡＮ（Ｉ−ＷＬＡＮ）を形成している。Ｉ−ＷＬＡＮの各々は、相互作用機能性を有しており、この相互作用機能性は、パブリックランドモバイルネットワーク（ＰＬＭＮ）１６との通信接続を提供する。ここで、Ｉ−ＷＬＡＮおよびＰＬＭＮの個数、接続、および構成は、単なる例示に過ぎない。パブリックランドモバイルネットワークは、本明細書中では、ホームパブリックランドモバイルネットワーク（ＨＰＬＭＮ；Ｈｏｍｅ  Ｐｕｂｌｉｃ  Ｌａｎｄ  Ｍｏｂｉｌｅ  Ｎｅｔｗｏｒｋ）、等価ホームパブリックランドモバイルネットワーク（ＥＨＰＬＭＮ；Ｅｑｕｉｖａｌｅｎｔ  Ｈｏｍｅ  Ｐｕｂｌｉｃ  Ｌａｎｄ  Ｍｏｂｉｌｅ  Ｎｅｔｗｏｒｋ）、または訪問先パブリックランドモバイルネットワーク（ＶＰＬＭＮ；Ｖｉｓｉｔｅｄ  Ｐｕｂｌｉｃ  Ｌａｎｄ  Ｍｏｂｉｌｅ  Ｎｅｔｗｏｒｋ）として、様々に識別される。そのようなホームＰＬＭＮ、等価ホームＰＬＭＮ、および訪問先ＰＬＭＮとしての指定は、無線デバイス１２によって定義される。その他のＰＬＭＮの指定は、その他の無線デバイスに関連して提供され得る。
【００４０】
例示的な構成において、ＷＬＡＮ  １４−１は、ＨＰＬＭＮ  １６−１に、ＥＨＰＬＭＮ−１  １６−２に、そしてＥＨＰＬＭ−２  １６−３に接続されている。ＷＬＡＮ−２  １４−２は、本明細書中では、ＥＨＰＬＭＮ−１  １６−２に、ＥＨＰＬＭＮ−２  １６−３に、そしてＥＨＰＬＭＮ−３  １６−４に接続されている。ＷＬＡＮ−３  １４−３は、本明細書中では、ＥＨＰＬＭ−３  １６−４に、そしてＥＨＰＬＭ−４  １６−６に接続されている。また、ＷＬＡＮ  １４−ｎは、本明細書中では、ＥＨＰＬＭＮ−４  １６−６に、ＶＰＬＭＮ−１  １６−５に、そしてＶＰＬＭＮ−２  １６−７に接続されている。
【００４１】
無線デバイスと通信するＩ−ＷＬＡＮの適切な選択を介することにより、無線デバイスはさらに、関連付けられたＰＬＭＮを経由して通信することが可能である。すなわち、利用可能なＷＬＡＮの適切な選択は、ＰＬＭＮとの通信接続性にとって決定的である。
【００４２】
無線デバイスは、無線送受信器回路網を含んでおり、これは本明細書中では、送信パート２８および受信パート３２によって表現されている。無線デバイスはさらに、本発明の実施形態の装置３４を含んでいる。この装置は、無線デバイスによるネットワーク選択を容易にし、より具体的には、ＷＬＡＮまたは関連付けられたＰＬＭＮのいずれかとの通信の損失が発生した場合に、通信接続関係にある無線デバイスの再接続を容易にする。本明細書中では、装置３４は機能的なエンティティとして表現されているが、処理回路、ハードウェア要素、またはそれらの組み合わせによって実行可能なアルゴリズムを含む、任意の所望の方法で実装可能である。様々な実装において、この装置を形成するエンティティは、無線デバイスの受信器送信パートの一部分、無線デバイスの制御要素の一部分として、物理的に実体化されるか、または無線デバイス内の任意の位置に収容されたり、無線デバイスに接続可能であったりし得る。
【００４３】
この装置は、リスト形成器３８を含んでおり、このリスト形成器は、様々なＷＬＡＮによって行われるブロードキャストをモニタするように、無線デバイスの受信パートを動作させるように動作する。ブロードキャストは、ＷＬＡＮの識別子、例えば、それらのＳＳＩＤ値を含んでいる。ＷＬＡＮはまた、本明細書中では以後、ＳＳＩＤとして言及され得る。モニタリングは、なんらかのＳＳＩＤ（すなわち、ＷＬＡＮ）が利用可能であるかどうかを確認するために実行される。リスト形成器は、利用可能なＳＳＩＤを識別するリスト４２を形成する。それぞれのＳＳＩＤと関連付けられたＰＬＭＮには、各ＳＳＩＤと共にインデックスが付けられている。関連付けられたＰＬＭＮの情報は、それぞれのＳＳＩＤのブロードキャストから、または無線デバイスにおいて以前に格納された情報から取得される。
【００４４】
リストは、選択器４６によって選択された選択手順にしたがってアクセスされ、利用可能なＳＳＩＤのうちのどれと、通信を開始するかを選択する。選択は、例えば、特定のＰＬＭＮに関連付けられている利用可能なＳＳＩＤはどれであるかに応答して行われる。一旦選択が行われると、無線デバイスは、選択されたＳＳＩＤ、ひいては関連付けられたＰＬＭＮとの通信接続を形成するように試みる。接続の試みが成功した場合、通信が開始する。接続の試みが失敗した場合、さらなる選択が試みられるか、または行われる。ここで、選択器はさらに、接続の成功および失敗検出器４７の機能性を含んでいる。この接続の成功および失敗検出器は、接続の試みが成功であったかどうかを決定し、接続の試みが失敗であった場合には、選択器のさらなる動作を引き起こす。
【００４５】
本発明の実施形態はさらに、バッファ４８を含んでおり、このバッファは、選択器４６によって選択されたＳＳＩＤおよび関連付けられたＰＬＭＮと関連付けられた情報、または無線デバイスが通信するＳＳＩＤおよび関連付けられたＰＬＭＮと関連付けられた情報をバッファリングする。バッファはデータ格納を形成し、バッファはこれによって、無線デバイスと通信しているＳＳＩＤ／ＰＬＭＮ、または最後に通信したＳＳＩＤ／ＰＬＭＮを識別する。無線デバイスの通信がハンドオフされた場合、または変更された場合、バッファリングされた情報は、対応するように更新される。
【００４６】
接続の成功および失敗検出器４７はさらに、無線デバイスとＳＳＩＤとの間、または無線デバイスと関連付けられたＰＬＭＮとの間、または無線デバイスとその他のエンティティとの間で、無線デバイスの通信接続の損失を検出する。検出器５２によって通信接続の損失が検出されると、アクセス器５４は、バッファ４８にアクセスし、バッファの内容にアクセスする。アクセスされた内容は抽出され、無線デバイスによる再接続の試みにおいて使用される。バッファリングされた値が使用されるので、利用可能なＳＳＩＤおよびそれらに関連付けられたＰＬＭＮの時間および電力を消費するサーチ手順は、回避される。代わりに、ほぼ即座の再接続の試みが実行され得る。
【００４７】
様々な実装において、バッファは、無線デバイスの永続メモリにおいて実体化されるか、または無線デバイスと取り外し可能なように係合可能なメモリデバイスにおいて実体化される。無線デバイスと係合可能な取り外し可能なメモリモジュールは、例えば、ＳＩＭ、ＵＳＩＭ、ＩＳＩＭ、Ｒ−ＵＩＭ、コンパクトフラッシュ（登録商標）メモリ、マイクロＳＤメモリ、メモリスティック、またはその他任意の携帯型メモリ要素を含む。一実施形態において、データ格納を形成するバッファに格納された情報は、そのバッファへと直接的に読み込まれ、このバッファから直接的にアクセスおよび抽出される。別の実装において、この情報は無線デバイスにおいて画像化される。
【００４８】
本発明の実施形態にしたがう例示的な動作において、バッファに格納される情報は、選択器によって選択が行われた後に、このバッファに格納される。選択されたＳＳＩＤ／ＰＬＭＮとの通信接続が成功しなかった場合、バッファリングされた情報は、代わりの情報と置き換えられる。別の実装において、バッファに格納される情報は、接続の試みが成功したという決定の後に、格納される。
【００４９】
１つの実装において、ローカル無線アクセスネットワーク（すなわち、ＳＳＩＤ）を使用した接続の試みの認証が、無線デバイスを認証するために実行される。認証は、例えば、ＥＡＰ、ウェブスプラッシュページ、ＨＴＴＰダイジェスト、ＩＰＳｅｃトンネル、またはその他任意の様々な認証およびセキュリティの枠組みおよび機構の形式を取り得る。例示的な実装において、アクセスを正しく取得するための方法に関する情報もまた、バッファに格納される。通信接続性の損失があった場合、そのような情報もまた、再接続の試みにおいて利用される。
【００５０】
通信損失検出器による通信接続性の損失の決定があると、最後に使用されたＳＳＩＤの値および情報が抽出され、ＳＳＩＤとの接続性が損失した場合に、使用され得る。ＳＳＩＤの接続性が維持されているが、ＰＬＭＮの接続性が損失した場合、それとの再接続を試みるために、バッファリングされたＰＬＭＮの情報が使用される。すなわち、無線デバイスは、先に利用されたＰＬＭＮ（これは、バッファに格納されているバッファリングされた情報によって示される）と同じＰＬＭＮを登録する。
【００５１】
図２は、リスト４２に格納される例示的な情報を示しており、このリストにおいては、ＳＳＩＤ情報がＰＬＭＮ情報と共に格納されており、ＭＣＣ値およびＭＮＣ値によって識別されている。この例示的なリストにおいて、ＳＳＩＤの識別はまた、ＳＳＩＤの周波数／チャネルをも含んでいる。最後の（すなわち、最下部に示されている）エントリは、ＳＳＩＤに関連付けられた直接ＩＰアクセスのインディシアを有している。直接ＩＰアクセスは、例えば、ＩＴＳｅｃトンネルを用いたＨＰＬＭへの直接アクセスを提供している。直接ＩＰアクセスはまた、例えば、８０２．１ｘ認証の性能を用いないＶＰＬＭＮへの直接アクセスを提供している。
【００５２】
図３は、リスト４２の例示的なエントリ６２のさらなる詳細を示している。ここでは、ネットワーク識別子は、ＳＳＩＤの値を含んでいる。このリストは、識別子フィールド６４、構造フィールド６６、オプションフィールド６８、ＳＦＩフィールドインジケータ７２、レコードサイズフィールド７４、更新アクティビティフィールド７６、アクセス状態フィールド７８、ＳＳＩＤ−長フィールド８２、ＳＳＩＤ値８４、および一連の関連付けられたＰＬＭＮインジケータ８８を含んでいる。
【００５３】
図４は、本発明の実施形態の動作の間に格納された、例示的なバッファ４８の内容を示しており、この内容は、ＳＳＩＤまたは関連付けられたＰＬＭＮとの通信接続性の損失が発生した場合に、アクセスおよび抽出されるように利用可能である。
【００５４】
バッファ４８は、アクセス技術タイプの識別９２、例えば、ＷＩ−ＭＡＸ、ＣＤＰＤ、ＧＥＲＡＮ、ＵＴＲＡＮ、ＬＴＥ，ＣＤＭＡ２０００、ＥＶＤＯ等を含んでいる。このバッファはさらに、アクセス技術ネットワーク識別子９４、例えば、ＳＳＩＤ値、ＭＣＣ値およびＭＮＣ値、等を含んでいる。さらに、このバッファはまた、接続タイプ識別子９６、例えば、ＰＬＭＮまたは直接接続等を経由した認証の識別を含んでいる。このバッファはさらに、アクセスに関連したＰＬＭＮの詳細９８、例えば、ＰＬＭＮのＭＣＣ値、ＭＮＣ値、ＳＩＤ値、等を含んでいる。また、このバッファはさらに、追加的な情報を含んでおり、ここではこれは、例えば、トンネルエンドポイントの必要なＩＰアドレス情報１０２である。
【００５５】
図４の図示においては、Ｉ−ＷＬＡＮの特定の例が利用されている。この例において、無線デバイスは、ＥＡＰ認証を使用して、例えば技術仕様書ＴＳ．２４．２３４．に述べられているような標準的な手順にしたがって、ＰＬＭＮとの認証を実行する。ＰＬＭＮが発見されなかった場合、無線デバイスは、例えば技術仕様書ＴＳ３３．２３４に述べられているような標準的な手順を使用して、無線デバイスのＨＰＬＭＮへの直接ＩＰＳｅｃトンネルを設定することを試みる。ＰＬＭＮへの接続が成功すると、無線デバイスはさらに、バッファにおいて、成功した接続に関連する詳細を格納する。また、図４はさらに、ＳＳＩＤ情報１０４、認証に関連する接続タイプ情報１０６（例えばこれは、識別がＰＬＭＮ接続または直接接続を経由して行われるかどうかを識別する）を含んでいる。トンネルエンドポイントの追加的なＰＬＭＮの詳細１０８および必要なＩＰアドレス１１２が、さらにバッファされる。
【００５６】
図５は、本発明の実施形態にしたがって使用される、例示的な格納フォーマットを表現する表１１６を示している。識別子フィールド１１８、構造フィールド１２２、オプションフィールド１２４、ＳＦＩ識別フィールド１２６、レコードサイズフィールド１２８、更新アクティビティフィールド１３２、およびアクセス状態フィールド１３４の全てが、この表の一部分を形成している。１バイトのＷＳＤＩ長フィールド１３８およびＷＳＩＤ識別１４４の全てが、この表の一部分を形成している。フィールド１３８の内容は、それに続くデータアイテム（すなわち、ＷＳＩＤ値を含むフィールド１４２）のバイト数を与えている。例示的な実装において、フィールドの内容の符号化は、１バイト以上の無指定長（ｕｎｓｉｇｎｅｄ  ｌｅｎｇｔｈ）で符号化される。フィールド１４２は、例えば技術仕様書ＴＳ２４．２３４［４０］において定義されているような、ＷＬＡＮ固有識別子（ＷＳＩＤ）の値を含んでいる。例示的な実装において、符号化は２進的である。未使用のバイトは、「ＦＦ」に設定され、値の一部分としても、長さの計算のためにも、使用されない。
【００５７】
図６に示されている表１４６もまた、本発明の実施形態の動作にしたがって使用される、例示的なフォーマットを表現している。この表は、識別子フィールド１４８、構造フィールド１５２、オプションフィールド１５４、ＳＦＩフィールド１５６、ファイルサイズフィールド１５８、更新アクティビティフィールド１６２、およびアクセス状態フィールド１６４を含んでいる。さらに、１〜３バイトのＰＬＭＮ識別１６６を含んでいる。ＰＬＭＮ識別子の内容は、例えば、モバイルネットワークコードによってフォローされているモバイルカントリーコードを含んでいる。符号化は、例えば技術仕様書ＴＳ２４．０８８［９］にしたがって、提供される。
【００５８】
図７は、図６に示されている表１４６に類似しているが、本発明の実施形態の動作にしたがう別の例示的なフォーマットの、表１４６を示している。この表もまた、識別子フィールド１４８、構造フィールド１５２、およびオプションフィールド１５４を含んでいる。ここでもまた、フィールド１５８（ここでは、レコードサイズフィールドを表現している）が、更新アクティビティフィールド１６２、およびアクセス状態フィールド１６４と共に提供されている。ここでは、表１４６は、アクセス技術識別子の長さを識別する１バイトのフィールド１６７、およびそれに続き、アクセス技術タイプを識別するフィールド１６８を含んでいる。指定長（ｄｅｓｉｇｎａｔｅｄ  ｌｅｎｇｔｈ）のフィールド１６９は、アクセス技術ＩＤを識別している。フィールド１７０は、接続タイプを識別しており、フィールド１７１は、サービングネットワークタイプを識別しており、フィールド１７２は、サービングネットワーク識別を識別している。
【００５９】
ＳＳＩＤが利用可能な間に接続性の損失が発生した場合、無線デバイスは、ＳＳＩＤに逆らって、格納されている情報を抽出する。無線デバイスに関連付けられたＨＰＬＭが利用可能であるか、または等価ＨＰＬＭが利用可能である場合、無線デバイスは、表に述べられている手順を使用して、アクセスを取得することを試みる。あるいは、表１４６において識別されている最後に登録されたＰＬＭＮが、使用を試みられる。
【００６０】
無線デバイスは、アクセスネットワークが損失した場合に、アクセスネットワークを発見することを試みる。以前に発見された周波数／チャネルが格納されている場合、無線デバイスは、最初に、抽出された周波数／チャネル上のネットワークを発見することを試みる。そうでない場合、無線デバイスはスキャンを開始する。１つの実装において、このスキャンは、無線デバイスが最新のアクセスネットワークを発見したときに、または利用可能な周波数帯域が使い果たされたときに、停止する。後者の場合、最後に格納されたアクセスネットワークが発見されると、無線デバイスは、上述の手順にしたがって、そのネットワーク、および対応するセルネットワークを選択する。１つの実装において、サーチの間に、無線デバイスが、ＨＰＬＭＮ接続性をサポートすることが知られているネットワークを発見した場合、このデバイスは、そのアクセスネットワークを選択する。
【００６１】
図８は、一般的に１７３で示されているプロセスを示しており、これは、本発明の実施形態の動作のプロセスを表現している。最初に、ブロック１７４によって示されているように、無線デバイスは、利用可能なＳＳＩＤをサーチし、その他の情報として、利用可能なＳＳＩＤ、およびそれらに関連付けられたＰＬＭＮのリストを形成する。そして、ブロック１７６に示されているように、無線デバイスは、ＳＳＩＤのうちのどれと通信接続を形成するかを選択する。そして、ブロック１７８に示されているように、一旦選択が行われると、通信接続が形成される。そして、ブロック１８０によって示されているように、選択されたＳＳＩＤに関連する情報、および関連付けられたＰＬＭＮがバッファリングされる。
【００６２】
その後、決定ブロック１８２に示されているように、通信接続性が損失されたかどうかに関する決定が行われる。通信接続性が損失されていない場合、すなわち、通信接続性が継続している場合、決定ブロックに戻る分岐は取られない。あるいは、通信接続性が損失された場合、イエスの分岐が取られ、ブロック１８４へ行く。ブロック１８４においては、バッファリングされた情報が、アクセスおよび抽出される。また、ブロック１８６によって示されているように、抽出された情報は、もとの通信接続性へと無線デバイスを再接続するための、再接続の試みにおいて使用される。
【００６３】
全体のリストを再形成するための、無線デバイスへの要求に関連する電力消費および時間遅延が回避される。代わりに、バッファリングされた情報は、バッファから抽出され、再接続の試みにおいて使用される。
【図面の簡単な説明】
【００６４】
【図１】図１は、本発明の実施形態が動作可能な無線通信システムの機能ブロック図を示している。
【図２】図２は、図１に示されている通信システムの無線デバイス形成部分において形成および維持される例示的なリストの表現を示している。
【図３】図３は、例示的な表を示しており、この表もまた、図１に示されている通信システムの無線デバイス形成部分において形成および維持される。
【図４】図４は、本発明の実施形態の動作にしたがって収集および格納される情報の表現を示している。
【図５】図５は、本発明の実施形態にしたがって収集される情報の例示的なフォーマットの実装を示している。
【図６】図６は、本発明の実施形態の動作にしたがって形成される別の例示的な表の表現を示している。
【図７】図７は、図６に示されている表現に類似しているが、代替の例示的な表の表現を示している。
【図８】図８は、本発明の実施形態の動作の方法を表現する方法流れ図を示している。
【符号の説明】
【００６５】
１０  無線通信システム
１２  無線デバイス
１４−１、１４−２、１４−３、１４−Ｎ  ＷＬＡＮ
１６−１  ＨＰＬＭＮ
１６−２、１６−３、１６−４、１６−６  ＥＨＰＬＭＮ
１６−５、１６−７  ＶＰＬＭＮ
２８  送信パート
３２  受信パート
３４  装置
３８  リスト形成器
４２  リスト
４６  選択器
４７  接続の成功および失敗検出器
４８  バッファ
５４  アクセス器
【図１】
2008259214.tif 000003
【図２】
2008259214.tif 000004
【図３】
2008259214.tif 000005
【図４】
2008259214.tif 000006
【図５】
2008259214.tif 000007
【図６】
2008259214.tif 000008
【図７】
2008259214.tif 000009
【図８】
2008259214.tif 000010